(57)【要約】【課題】掴み易く、マーカーペン等を収容でき、ホワイトボート表面やその周辺部分に簡単に且つ確実に磁着でき、移動や着脱も容易で、取扱い易く、省スペース化に役立ち、イレーサー本体を綺麗に接着でき、ホワイトボード表面を傷つけたり、マーカーペンのインクカスを落下させず、マーカーペンによる書き込みを確実に消去でき、構成簡素で、耐久性に優れ、量産に適し、低廉で、経済的なホワイトボード用イレーサーを提供する。【解決手段】マーカーペンＤ等を収容可能な収容容器本体Ａと、背面部２に形成した凹部５に固定する磁石Ｃと、磁石Ｃの背面と共に面一となる背面部２表面を覆うように接着する布状のイレーサー本体Ｂとを有し、収容容器本体Ａは、手指によって掴めるように形成し、イレーサー本体Ｂは、不織布や織布によって形成し、磁石Ｃは、ホワイトボート表面或いはホワイトボードの周辺部分に磁着可能となるよう形成する。【選択図】図３
0003148401.tif 000002
【実用新案登録請求の範囲】
【請求項１】
マーカーペンによるホワイトボードへの書き込みを消去するためのホワイトボード用イレーサーであって、マーカーペン等を収容可能な収容容器本体と、この収容容器本体の背面部に形成した凹部に固定される磁石と、この磁石の背面と共に面一となる収容容器本体の背面部表面を覆うように接着される布状のイレーサー本体とを有し、前記収容容器本体は、手指によって掴めるように形成し、前記イレーサー本体は、マーカーペンによる書き込みを拭き取り式に消去できるような不織布や織布によって形成し、前記磁石は、ホワイトボート表面或いはホワイトボードの周辺部分に磁着可能となるように形成したことを特徴とするホワイトボード用イレーサー。
【請求項２】
前記収容容器本体の正面部表面に広告等の表示部を設けたことを特徴とする請求項１記載のホワイトボード用イレーサー。
【考案の詳細な説明】
【技術分野】
【０００１】
本考案は、マーカーペンによるホワイトボードへの書き込みを消去するためのホワイトボード用イレーサーに係り、特に、マーカーペンによるホワイトボードへの書き込みを確実に且つ綺麗に消去することができ、ホワイトボート表面或いはホワイトボードの周辺部分に磁着させておくことができ、不使用時にはマーカーペン等を収容させておくこともでき、しかも、構成が簡素で、量産に適し、低廉で、経済的なものを提供できるように工夫したホワイトボード用イレーサーに関するものである。
【背景技術】
【０００２】
従来、この種のホワイトボード用イレーサーとしては、例えば、マーカーペンの頭部にフェルト等で形成されたイレーサーを固定したものが利用されてきた。
また、特許文献１に開示されているようなホワイトボード用イレーザーがあり、これは、マーカーによりホワイトボードに記載された着色部を消去するためのイレーザーであって、手持式のイレーザーボディーと、上記着色部のインクを拭き取るための消去用シートとを有し、前記消去用シートが前記イレーザーボディーに対し着脱自在とされているものである。
【０００３】
【特許文献１】特開平１１−１７０７７８号公報
【考案の開示】
【考案が解決しようとする課題】
【０００４】
ところが、前者のようなホワイトボード用イレーサーにあっては、比較的大きな書き込みを消去するのには適しておらず、綺麗に消去し難い難点があった。しかも、イレーサー付マーカーペンの不使用時にあっては、ホワイトボードの下縁に設けた棚板部に載せておくようにしているが、イレーサー付マーカーペンが棚板部から落下してしまうことが良くあった。
また、後者のようなホワイトボード用イレーサーにあっては、比較的大きな書き込みを消去できると共に、綺麗に消去できるようには工夫されているが、その不使用時にあっては、これの保管スペースを確保しなければならない難点があった。尚、ホワイトボードの下縁に設けた棚板部に載せておくようにした場合は、この棚板部を大きく形成しておかなければならない問題点もあった。
【課題を解決するための手段】
【０００５】
そこで、本考案のホワイトボード用イレーサーは、前述の如き難点等を解消すると共に、マーカーペンによるホワイトボードへの書き込みを確実に且つ綺麗に消去することができ、ホワイトボート表面或いはホワイトボードの周辺部分に磁着させておくことができ、不使用時にはマーカーペン等を収容させておくこともでき、取扱い易く、構成が簡素で、量産に適し、低廉で、経済的なものを提供すべく案出されたもので、請求項１記載のホワイトボード用イレーサーにあっては、マーカーペンＤによるホワイトボードへの書き込みを消去するためのホワイトボード用イレーサーであって、マーカーペンＤ等を収容可能な収容容器本体Ａと、この収容容器本体Ａの背面部２に形成した凹部５に固定される磁石Ｃと、この磁石Ｃの背面と共に面一となる収容容器本体Ａの背面部２表面を覆うように接着される布状のイレーサー本体Ｂとを有し、前記収容容器本体Ａは、手指によって掴めるように形成し、前記イレーサー本体Ｂは、マーカーペンＤによる書き込みを拭き取り式に消去できるような不織布や織布によって形成し、前記磁石Ｃは、ホワイトボート表面或いはホワイトボードの周辺部分に磁着可能となるように形成する手段を採用した。
【０００６】
また、請求項２記載のホワイトボード用イレーサーにあっては、前記収容容器本体Ａの正面部１表面に広告等の表示部６を設ける手段を採用した。
【考案の効果】
【０００７】
従って、本考案の請求項１記載のホワイトボード用イレーサーによれば、収容容器本体Ａは、手指によって掴み易く、不使用時にはマーカーペンＤ等を収容させておくこともでき、取扱い易いものとなる。
また、磁石Ｃによって、ホワイトボード用イレーサーをホワイトボート表面或いはホワイトボードの周辺部分に簡単に且つ確実に磁着させておくことができると共に、その移動（磁着位置を自由に選択）や着脱も容易に行えるようになる。ひいては、より取扱い易く、省スペース化に役立つようになる。
更に、磁石Ｃは、収容容器本体Ａの背面部２に形成した凹部５に安定的に固定できるようになると共に、その背面が収容容器本体Ａの背面部２表面と面一となり、イレーサー本体Ｂを綺麗に接着できるようになる。ひいては、マーカーペンＤによる書き込みをより綺麗に消去できるようになる。
そして、イレーサー本体Ｂは、不織布や織布によって形成してあるので、マーカーペンＤによる書き込みを拭き取り式に確実に消去できるようになると共に、ホワイトボード表面を傷つけることなく、マーカーペンＤのインクカスを下に落下させることなく綺麗に拭き取れるようになる。
しかも、ホワイトボード用イレーサー自体の構成が簡素となり、耐久性にも優れ、量産に適し、低廉で、経済的なものとなる。
【０００８】
また、本考案の請求項２記載のホワイトボード用イレーサーによれば、収容容器本体Ａの正面部１表面の表示部６を利用することにより、宣伝広告等を目立つように表示させることが簡単に行えるようになる。
【考案を実施するための最良の形態】
【０００９】
以下、本考案を説明すると、次の通りである。
本考案は、マーカーペンＤによるホワイトボードへの書き込みを消去するためのホワイトボード用イレーサーで、このホワイトボード用イレーサーは、マーカーペンＤ等を収容可能な収容容器本体Ａと、この収容容器本体Ａの背面部２に形成した凹部５に固定される磁石Ｃと、この磁石Ｃの背面と共に面一となる収容容器本体Ａの背面部２表面を覆うように接着される布状のイレーサー本体Ｂとからなるものである。
そして、前記収容容器本体Ａは、手指によって掴めるように形成し、前記イレーサー本体Ｂは、マーカーペンＤによる書き込みを拭き取り式に消去できるような不織布や織布によって形成し、前記磁石Ｃは、ホワイトボート表面或いはホワイトボードの周辺部分に磁着可能となるように形成することにより、前記課題を達成できるようにしたものである。
【実施例】
【００１０】
前記収容容器本体Ａは、例えば、正面部１と背面部２と底面部３と左右側面部４とからなる上部が開口されているような木製或いは合成樹脂製の容器状に構成されており、手指によって安定的に掴めるような形状、寸法に形成されている。しかも、その内部空間は、複数のマーカーペンＤを取出し自在となると共に安定的に保持できるように形成されている。
【００１１】
しかも、正面部１は、例えば、略矩形板状に形成されており、その表面部分は平坦状に形成されていると共に、宣伝広告等の適宜表示部６を設けることができるようになっている。すなわち、宣伝広告等の表示部６をより目立たせることができるように形成されている。
【００１２】
また、背面部２は、例えば、比較的厚みのある略矩形板状に形成されており、その表面部分は平坦状に形成されていると共に、その中央部分には凹部５が凹設されている。そして、この凹部５に合致するような磁石Ｃが接着できるように形成してある。
【００１３】
底面部３は、例えば、幅方向に湾曲した略矩形板状に形成されており、マーカーペンＤ等の下端部分を安定的に支えられるようなものであれば良い。
【００１４】
左右側面部４は、例えば、幅方向に湾曲した略細長矩形板状に形成されており、手指に馴染み易く、且つ手指で掴み易くなるように形成されている。
【００１５】
前記凹部５は、例えば、磁石Ｃの形状、寸法に合致するように形成されており、接着される磁石Ｃの背面が、背面部２の外表面部分と面一となるように形成されている。
【００１６】
前記イレーサー本体Ｂは、例えば、背面部２表面に合致するような寸法の略矩形状の不織布や織布等が用いられ、適宜接着剤や両面着テープ等によって背面部２外表面に接着できるように形成されている。しかも、イレーサー本体Ｂは、比較的目が粗い布が利用され、ホワイトボード表面に書き込まれたマーカーペンＤのインクカスを確実に拭き取れるようにすると共に、拭き取ったインクカスが落下することなくイレーサー本体Ｂ表面に留まり易くなるようなものが好ましい。尚、イレーサー本体Ｂは、その角部によって所望部分の書き込みを細かく消去できるように形成されている。
【００１７】
前記磁石Ｃは、例えば、矩形板状或いは円板状の永久磁石等が利用され、接着剤や両面着テープ等によって凹部５に接着できるように形成されている。
【００１８】
ところで、ホワイトボード用イレーサーの具体的構成、形状、寸法、材質、収容容器本体Ａの具体的構成、形状、寸法、材質、正面部１の具体的構成、形状、寸法、材質、背面部２の具体的構成、形状、寸法、材質、底面部３の具体的構成、形状、寸法、材質、左右側面部４の具体的構成、形状、寸法、材質、凹部５の具体的構成、形状、寸法、数、配設位置、表示部６の具体的構成、配設位置、イレーサー本体Ｂの具体的構成、形状、寸法、材質、磁石Ｃの具体的構成、形状、寸法、材質、接着手段等は、図示例のもの等に限定されることなく適宜自由に設定、変更できるものである。
【図面の簡単な説明】
【００１９】
【図１】本考案のホワイトボード用イレーサーを例示する正面図である。
【図２】本考案のホワイトボード用イレーサーを例示する背面図である。
【図３】本考案のホワイトボード用イレーサーを例示する縦断側面図である。
【図４】本考案のホワイトボード用イレーサーを例示する横断平面図である。
【符号の説明】
【００２０】
Ａ      収容容器本体
１      正面部
２      背面部
３      底面部
４      側面部
５      凹部
６      表示部
Ｂ      イレーサー本体
Ｃ      磁石
Ｄ      マーカーペン
【図１】
0003148401.tif 000003
【図２】
0003148401.tif 000004
【図３】
0003148401.tif 000005
【図４】
0003148401.tif 000006